(57)【要約】      （修正有）【課題】接続空間が狭くても簡単に接続することができるコネクタを提供する。【解決手段】前方ケース１と、該前方ケース１に対向して回転する後方ケース２とを含んでなる。後方ケース２の前方端縁部が前方ケース１の後方端縁部に回動自在に接続するか、或いは蝶番で接続され、前方ケース１と後方ケース２との間には回転軸３が形成され、前方ケース１と後方ケース２の回転軸３内にはコネクタのケーブル材４が貫通して設けられる。【選択図】図１
0003155027.tif 000002
【実用新案登録請求の範囲】
【請求項１】
前方ケースと、該前方ケースに対向して回転する後方ケースとを含んでなり、
該後方ケースの前方端縁部が前方ケースの後方端縁部に回動自在に接続するか、或いは蝶番で接続され、前方ケースと後方ケースとの間には回転軸が形成され、前方ケースと後方ケースの回転軸内にはコネクタのケーブル材が貫通して設けられることを特徴とするコネクタ。
【請求項２】
前記回転軸が、コネクタの挿接方向に垂直に設けられ、後方ケース２内に穿設されたコネクタのケーブル材が回転軸内の空間を介して前方ケース内に穿設され、前方ケースの内部にはコネクタの挿入ヘッドが固定して設けられ、挿入ヘッド内には端子が固定して設けられ、ケーブル材の複数の芯がそれぞれ、対応する端子の後方端縁部のコネクタに接続することを特徴とする請求項１に記載のコネクタ。
【請求項３】
前記コネクタのケーブル材が、回転軸を貫通することを特徴とする請求項２に記載のコネクタ。
【請求項４】
前記前方ケースの後方端縁部と後方ケースの前方端縁部にはそれぞれ、中空の軸体が設けられ、前方ケースの軸体内の空間が前方ケースの内部空間を通過し、前方ケースの軸体と後方ケースの軸体とが互いに離れ、前方ケースの軸体と、後方ケースの軸体とが同軸心上で接続され、コネクタの回転軸を形成し、前方ケースの軸体内の空間と後方ケースの軸体内の空間に接続することを特徴とする請求項１から３に記載のコネクタ。
【請求項５】
前記前方ケースの軸体の側面の端縁部には凸辺か、或いは凹溝を設け、後方ケースの軸体の外側端縁部には対応して凹溝、或いは凸辺が設けられ、後方ケースの軸体の凹溝、或いは凸辺と、前方ケースの軸体上に対応する凸辺か、或いは凹溝とが互いに嵌合することを特徴とする請求項４に記載のコネクタ。
【請求項６】
前記前方ケースの軸体の本数が、後方ケースの軸体の本数よりも一本多く、後方ケースのどの軸対でも、前方ケースの後方端縁部に対応して二つの軸体を挟持することを特徴とする請求項４に記載のコネクタ。
【請求項７】
前記後方ケースの軸体が、外側に向いて側面上に複数の位置決め溝を設けてなり、前方ケースの最も外側の軸体の内側面上には該位置決め溝に対応して位置決め桿が設けられ、位置決め桿が選択された位置決め溝に挟設されることを特徴とする請求項６に記載のコネクタ。
【請求項８】
前方ケースの最も外側の軸体の内側面上に複数の位置決め溝１０を具えてなり、後方ケースの軸体の外側の側面上には対応する位置決め桿が設けられ、位置決め桿が選択された位置決め溝に嵌合することを特徴とする請求項６に記載のコネクタ。
【請求項９】
前記前方ケースが、前方上方ケースと、前方下方ケースとを係合して形成し、後方ケースが後方上方ケースと、後方下方ケースとを係合して形成することを特徴とする請求項８に記載のコネクタ。
【請求項１０】
前記前方上方ケースと前方下方ケース上にはそれぞれ前方の位置決め柱と前方の位置決め溝が設けられ。前方の位置決め柱が前方の位置決め溝内に挿入され、後方上方ケースと後方下方ケース上にはそれぞれ後方の位置決め柱と後方の位置決め溝とが設けられ、後方の位置決め柱が後方の位置決め溝内に挿入して設けられることを特徴とする請求項９に記載のコネクタ。
【考案の詳細な説明】
【技術分野】
【０００１】
この考案は、コネクタに関し、特に電子機器に接続して使用し、後方端縁部を回転、固定するコネクタに関する。
【背景技術】
【０００２】
科学技術の急速な発展に伴って、☆、コンピュータ、ＤＶＤプレイヤーなど各種電子機器関連製品がすでに多くの人々に使用されている。
【０００３】
例えば、ＨＭＤＩ（Ｈｉｇｈ−Ｄｅｆｉｎｉｔｉｏｎ  Ｍｕｌｔｉｍｅｄｉａ  Ｉｎｔｅｒｆａｃｅ）は、電子機器製品を接続する各種コネクタに使用され、接続の便宜性と確実性を決定する。
【０００４】
現在、多くの電子機器製品のインターフェイスはいずれも予め適宜な接続空間が設けられている。
【０００５】
しかしながら、該接続空間は有限で、比較的狭いため、使用者が該接続空間に手を延伸して挿入し、対応するインターフェイスにコネクタを差し込み挿入することは非常に難しい。
【０００６】
また、従来のコネクタはいずれも差し込み式で、一つの方向からしか電子機器製品に接続することができず、コネクタの長手方向に沿って差し込むしかできないため、コネクタの接続を難しくしている。
【０００７】
さらに、コネクタの端縁部のケーブル材も湾曲、或いは大幅に折り曲げることができず、ケーブル材は一定の角度に定型、或いは固定することができない。
【０００８】
よって、挿入する場合にコネクタの端縁部のケーブル材を折り曲げることや定型することができないことは、差し込み接続における最大の制限である。
【考案の概要】
【考案が解決しようとする課題】
【０００９】
この考案は、接続空間が狭くても簡単に接続することができるコネクタを提供することを課題とする。
【課題を解決するための手段】
【００１０】
そこで、本考案者は従来の技術に見られる欠点に鑑みて鋭意研究を重ねた結果、前方ケースと、該前方ケースに対向して回転する後方ケースとを含んでなり、
該後方ケースの前方端縁部が前方ケースの後方端縁部に回動自在に接続するか、或いは蝶番で接続され、前方ケースと後方ケースとの間には回転軸が形成され、前方ケースと後方ケースの回転軸内にはコネクタのケーブル材が貫通して設けられるコネクタによって課題を解決できる点に着眼し、かかる知見に基づいて本考案を完成させた。
【００１１】
以下、この考案について具体的に説明する。
請求項１に記載のコネクタは、前方ケースと、該前方ケースに対向して回転する後方ケースとを含んでなり、
該後方ケースの前方端縁部が前方ケースの後方端縁部に回動自在に接続するか、或いは蝶番で接続され、前方ケースと後方ケースとの間には回転軸が形成され、前方ケースと後方ケースの回転軸内にはコネクタのケーブル材が貫通して設けられる。
【００１２】
請求項２に記載のコネクタは、請求項１における回転軸が、コネクタの挿接方向に垂直に設けられ、後方ケース内に穿設されたコネクタのケーブル材が回転軸内の空間を介して前方ケース内に穿設され、前方ケースの内部にはコネクタの挿入ヘッドが固定して設けられ、挿入ヘッド内には端子が固定して設けられ、ケーブル材の複数の芯がそれぞれ、対応する端子の後方端縁部のコネクタに接続する。
【００１３】
請求項３に記載のコネクタは、請求項２におけるコネクタのケーブル材が、回転軸を貫通する。
【００１４】
請求項４に記載のコネクタは、請求項１から３における前方ケースの後方端縁部と後方ケースの前方端縁部にはそれぞれ、中空の軸桿が設けられ、前方ケースの軸桿内の空間が前方ケースの内部空間を通過し、前方ケースの軸桿と後方ケースの軸桿とが互いに離れ、前方ケースの軸桿と、後方ケースの軸桿とが同軸心上で接続され、コネクタの回転軸を形成し、前方ケースの軸桿と内の空間と後方ケースの軸桿ない空間に接続する。
【００１５】
請求項５に記載のコネクタは、請求項４における前方ケースの軸桿の側面の端縁部には凸辺か、或いは凹溝を設け、後方ケースの軸桿の外側端縁部には対応して凹溝、或いは凸辺が設けられ、後方ケースの軸桿の凹溝、或いは凸辺と、前方ケースの軸桿上に対応する凸辺か、或いは凹溝とが互いに嵌合する。
【００１６】
請求項６に記載のコネクタは、請求項４における前方ケースの軸桿の本数が、後方ケースの軸桿の本数よりも一本多く、後方ケースのどの軸桿でも、前方ケースの後方端縁部に対応して府二つの軸桿を挟持する。
【００１７】
請求項７に記載のコネクタは、請求項６における後方ケースの軸桿が、外側に向いて側面上に複数の位置決め溝を設けてなり、前方ケースの最も外側の軸桿の内側面上には該位置決め溝に対応して位置決め桿が設けられ、位置決め桿が選択された位置決め溝に挟設される。
【００１８】
請求項８に記載のコネクタは、請求項６における前方ケースの最も外側の軸桿の内側面上に複数の位置決め溝を具えてなり、後方ケースの軸桿の外側の側面上には対応する位置決め桿が設けられ、位置決め桿が選択された位置決め溝に嵌合する。
【００１９】
請求項９に記載のコネクタは、請求項９における前方ケースが、前方上方ケースと、前方下方ケースとを係合して形成し、後方ケースが後方上方ケースと、後方下方ケースとを係合して形成する。
【００２０】
請求項１０に記載のコネクタは、請求項９における前方上方ケースと前方下方ケース上にはそれぞれ前方の位置決め柱と前方の位置決め溝が設けられ。前方の位置決め柱が前方の位置決め溝内に挿入され、後方上方ケースと後方下方ケース上にはそれぞれ後方の位置決め柱と後方の位置決め溝とが設けられ、後方の位置決め柱が後方の位置決め溝ないに挿入して設けられる。
【考案の効果】
【００２１】
この考案によるコネクタは、構造、組み立てが簡単で、生産コストを抑えることができるという効果を有する。
【図面の簡単な説明】
【００２２】
【図１】この考案のコネクタを示した斜視図である。
【図２】この考案のコネクタを別の角度から示した斜視図である。
【図３】この考案のコネクタの後部ケースを回転した状態を示した斜視図である。
【図４】この考案のコネクタを示した分解図である。
【図５】この考案のコネクタの前方上方ケースと、後方上方ケースとを示した平面図である。
【図６】この考案のコネクタの前方ケースを示した斜視図である。
【図７】この考案のコネクタの前方ケースを別の角度から示した斜視図である。
【図８】この考案のコネクタの後方ケースを示した斜視図である。
【図９】この考案のコネクタの後方ケースを別の角度から示した斜視図である。
【考案を実施するための形態】
【００２３】
この考案は接続空間が狭くても簡単に接続することができるコネクタであって、前方ケースと、該前方ケースに対向して回転する後方ケースとを含んでなり、
該後方ケースの前方端縁部が前方ケースの後方端縁部に回動自在に接続するか、或いは蝶番で接続され、前方ケースと後方ケースとの間には回転軸が形成され、前方ケースと後方ケースの回転軸内にはコネクタのケーブル材が貫通して設けられるコネクタの構造と特徴を詳述するために具体的な実施例を挙げ、図示を参照にして以下に説明する。
【実施例】
【００２４】
図１から図９は、この考案のコネクタを示したものである。
【００２５】
図面によれば、この考案のコネクタはＨＤＭＩで、前方ケース１と、該前方ケース１に対向して回転する後方ケース２とを含んでなる。
【００２６】
後方ケース２は、前方端縁部が前方ケース１の後方端縁部に回動自在に接続するか、或いは蝶番で接続される。
【００２７】
前方ケース１と後方ケース２との間には回転軸３が設けられ、前方ケース１と後方ケース２の回転軸３との間にはコネクタのケーブル材４を貫通する孔が設けられる。
【００２８】
回転軸３は、コネクタの接続方向に垂直に設けられる。後方ケース２内に穿設したコネクタのケーブル材４が回転軸３内の孔を通過して前方ケース１の内部に設けられる。
【００２９】
前方ケース１は内部にコネクタの接続ヘッド５を固定して設ける。
【００３０】
該接続ヘッド５内には端子が固定して設けられ、ケーブル材４内の芯はそれぞれ対応する端子の後方端縁部のコネクタに接続する。
【００３１】
この考案の実施形態では、後方ケース２は、後方端縁部が前方ケース１に対向して上下に回転するか、或いはコネクタの端縁部が上下に回転する。
【００３２】
後方ケース２は、コネクタの正面、或いは背面に向かって回転する。
【００３３】
後方ケース２が回転すると、コネクタの正面、或いは背面と挟角を形成する。後方ケース２は前方ケース１に対向して回転する角度の範囲がプラスマイナス９０度である。
【００３４】
コネクタのケーブル材４は一本の状態で回転軸３を貫通する。コネクタのケーブル材４は、後方ケース２、回転軸３、前方ケース１の後方端縁部のエリアにおいていずれも一本の状態を保ち、ケーブル材４の構造を壊すことがない。
【００３５】
ケーブル材４内の芯はそれぞれ従来の排列を維持する。ケーブル材４内部のそれぞれの芯の間のシグナルは互いに干渉することがなく、特にコネクタの高周波性などコネクタのさまざまな性能を低下させることがない。
【００３６】
前方ケース１の後方端縁部と後方ケースの前方端縁部にはそれぞれ中空の軸体６が設けられる。
【００３７】
前方ケース１の軸体６内部の空間は前方ケース１の内部空間に貫通し、後方ケース２の軸体６ない空間が後方ケース２の内部空間に接続する。
【００３８】
前方ケース１の軸体６と後方ケース２の軸体６とは互いに離れている。前方ケース１の軸体６と後方ケース２の軸体６は、同軸心で接続され、コネクタの回転軸３を形成する。
【００３９】
前方ケース１の軸体６内の空間と後方ケース２の軸体６内の空間とは互いに貫通する。
【００４０】
前方ケース１の軸体６の側面の端縁部には凸辺９、或いは凹溝８が設けられる。
【００４１】
後方ケース２の軸体６の外側端縁部には対応して凹溝８、或いは凸辺９が設けられる。
【００４２】
後方ケース２の軸体６の凹溝８、或いは凸辺９と、前方ケース１の軸体６上に対応して設けられた凸辺９、或いは凹溝８とが互いに嵌合して接続する。
【００４３】
この考案の実施形態では、回転軸３内の空間がそれぞれ前方ケース１と、後方ケース２内の空間に貫通し、ケーブル材４の経路を供する。
【００４４】
ケーブル材４は後方ケース２から回転軸３の内部に穿設し、回転軸３内から前方ケース１内へと穿設する。
【００４５】
ケーブル材４は、後方ケース２、回転軸３、前方ケース１内に完全に被覆され、ケーブル材４がコネクタの外部に露出することがなく、ケーブル材４を有効に保護することができる。
【００４６】
前方ケース１と後方ケース２の軸体６が離れているため、回転軸３内の経路が必ず湾曲する。
【００４７】
ケーブル材４は、回転軸３内に湾曲部を形成する。湾曲部はケーブル材４を予め適宜な長さ残して形勢する。
【００４８】
後方ケース２を回転すると、後方ケース２がケーブル材４を引っ張り、湾曲部がケーブル材４の余分な部分を引っ張る。
【００４９】
端子と接続するケーブル材４の前方端縁部は回転で損壊することがなく、回転で接続が緩む状態も発生し難い。ケーブル材４の後方端縁部が後方ケース２と固定して設けられる。
【００５０】
前方ケース１の軸体６の本数が後方ケース２の軸体６の本数よりも一本多い。
【００５１】
よって、後方ケース２のどちらの軸桿５も前方ケース１後方端縁部に対応して設けられた二本の軸体６の間に挟持される。
【００５２】
この実施形態では、前方ケース１の軸体６の本数が三本で、前方ケース１の三本の軸体６の間に予め二箇所空間が形成される。
【００５３】
後方ケース１の軸体６の本数が二本であるため、後方ケース２の前方端縁部の二本の軸体６がそれぞれ、前方ケース１の後方端縁部の三本の軸体６の間の空間に設けられ、前方ケース１の軸体６と後方ケース２の軸体６とが同軸心上に設けられる。
【００５４】
このため、後方ケース２がちょうど前方ケース１の後方端縁部に固定されて、且つ、後方ケース２が前方ケース１に対向して回転し、後方ケース２が前方ケース１の後方端縁部から外れ難くなる。
【００５５】
特に、後方ケース２が外力を受けても前方ケース１の軸体６と後方ケース２の軸体６とが変形し難く、前方ケース１の軸体６と後方ケース２の軸体６とで形成する回転軸３がさらに強い強度を具えてなる。
【００５６】
後方ケース２の軸体６が側面に、複数の位置決め溝１０を外側に向けて具えてなる。
【００５７】
前方ケース１の最も外側の軸体６の内側面上には該位置決め溝に対応して位置決め桿１１が設けられる。
【００５８】
該位置決め桿１１が選択された位置決め溝１０内に嵌合する。
【００５９】
位置決め桿１１と位置決め溝１０を組み合わせると、後方ケース２がそれぞれ決められた適宜な角度に位置決めされる。
【００６０】
該角度は、位置決め溝１０の数とその分布に関係する。
【００６１】
例えば、後方ケース２の軸体６が側面から外側に平均して分布した五つの位置決め溝１０を具えてなり、後方ケース２がそれぞれ０度、＋−４５度、＋−９０度の位置に位置決めされる。
【００６２】
後方ケース２が回転する過程において、位置決め桿１１が位置決め溝１０から飛び出して回転し、隣接する位置決め溝１０内に位置する。
【００６３】
位置決め桿１１が飛び出して回転する場合、“ポン”という音を発する。音を発する形式で、後方ケース２がすでに一つの角度を通過したことを使用者に知らせ、且つ後方ケース２が好ましく位置決めされる。
【００６４】
前方ケース１は、前方上方ケースと、前方下方ケースとを係合して形成する。
【００６５】
後方ケース２は、後方上方ケースと、後方下方ケースとを係合して形成する。
【００６６】
前方ケース１と後方ケース２とは、分離形態を採用する。よって、コネクタの生産、組み立てがいずれも非常に便利であると同時に、生産コストの節減にも役立ち、生産効率を高め、良品率も高めることができる。
【００６７】
前方上方ケースと前方下方ケース上にそれぞれ前方位置決め柱と前方位置決め溝が設けられる。前方位置決め柱は、前方位置決め溝内に挿入して設けられる。
【００６８】
よって、前方上方ケースと前方下方ケースとが正確に位置決めされる。
【００６９】
後方上方ケースと、後方下方ケース上にはそれぞれ、後方位置決め柱と後方位置決め溝が設けられる。後方位置決め柱は後方位置決め溝内に挿入して設けられる。
【００７０】
よって、後方上方ケースと後方下方ケースとが正確に位置決めされる。
【００７１】
この考案の実施形態の後方ケース２は回転、位置決めすることができるため、コネクタが次のような特徴を具えてなる。
【００７２】
第一に、コネクタの頭部の長さを縮小し、コネクタの挿接作業を簡単で便利に実施できるようにする。
【００７３】
第二には、コネクタの末端のケーブル材４が設定した適宜な角度に湾曲、定型、固定することができるため、コネクタの末端のケーブル材の挿接において方向上占める空間を抑えることができ、コネクタの挿接作業がさらに簡単、便利に実施することができる。特に接続空間が狭小な電子製品にとっては、非常に重要な特徴である。
【００７４】
第三には、回転した後方ケース２は、使用者が手で持つハンドルにすることができる。挿接作業において、回転させた後方ケース２を手で持つ、或いは握ることができ、非常に狭い接続空間において、使用上、コネクタを手で持つ、或いは握るために非常に便利である。
【００７５】
また、つかむにも便利で、挿接や、力を加える場合に便利である。
【００７６】
第四には、回転した後の後方ケース２は、使用者が挿接する場合に力を加える部材とすることができる。
【００７７】
挿接する場合、使用者が直接、後方ケース２に力を加え、後方ケース２を通してコネクタを対応するインターフェイス内に挿入する。
【００７８】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【符号の説明】
【００７９】
１                    前方ケース
２                    後方ケース
３                    回転軸
４                    ケーブル材
５                    接続ヘッド
６                    軸体
８                    凹溝
９                    凸辺
１０               位置決め溝
１１               位置決め桿
【図１】
0003155027.tif 000003
【図２】
0003155027.tif 000004
【図３】
0003155027.tif 000005
【図４】
0003155027.tif 000006
【図５】
0003155027.tif 000007
【図６】
0003155027.tif 000008
【図７】
0003155027.tif 000009
【図８】
0003155027.tif 000010
【図９】
0003155027.tif 000011
【手続補正書】
【提出日】平成21年8月25日(2009.8.25)
【手続補正１】
【補正対象書類名】実用新案登録請求の範囲
【補正対象項目名】請求項４
【補正方法】変更
【補正の内容】
【請求項４】
前記前方ケースの後方端縁部と後方ケースの前方端縁部にはそれぞれ、中空の軸体が設け
られ、前方ケースの軸体内の空間が前方ケースの内部空間を通過し、前方ケースの軸体と
後方ケースの軸体とが互いに離れ、前方ケースの軸体と、後方ケースの軸体とが同軸心上
で接続され、コネクタの回転軸を形成し、前方ケースの軸体内の空間と後方ケースの軸体
内の空間に接続することを特徴とする請求項１から３のいずれかに記載のコネクタ。